(57)【要約】【課題】２方向にラッチが突出するようなラッチ装置及びそのようなラッチ装置を遊技機の周辺装置の取り付けに適用した遊技機を提供すること。【解決手段】パチンコ遊技機における扉枠に配設され、扉枠の背面に配置されるガラスフレーム７６を固定するために使用されるクランプユニット７５は、ユニットベース１０７上のレバー軸１１２を中心に操作レバー１３が回動し、この操作レバー１３の回動に伴ってレバー軸１１２回りの対向位置にそれぞれ配置された２つの突起もレバー軸１１２回りに回動する。一方、レバー軸１１２を挟んで対向配置された一対のラッチ１１８Ａ，１１８Ｂは操作レバー１３の回動によって突起に押引されるため長手方向に沿って、かつ互いに逆方向に向かって進出することとなる。ラッチ１１８Ａ，１１８Ｂによってガラスフレーム７６側のクランプブラケット９５ａ，９５ｂが挟持されることとなる。【選択図】      図２４
2007117516.tif 000002
【特許請求の範囲】
【請求項１】
回動軸が設置されたベースと、
同回動軸を中心に回動可能とされるとともに、同回動軸回りの異なる位相位置にそれぞれ配置された２つの第１の係合部が形成された回動体と、
同回動軸を挟んで対向配置され、前記２つの第１の係合部とそれぞれ係合する第２の係合部が形成された長尺に形成された一対のラッチと、
同ラッチの前記ベース面からの浮き上がりを防止する浮き上がり防止手段と、
同両ラッチを長手方向に案内する案内手段とを備え、
同両ラッチは同回動体の回動に伴って同両係合部を介して押引されその長手方向に沿って、かつ互いに逆方向に向かって進退させられ、同回動体の所定の回動位置において同両ラッチが掛止体に対して掛止される位置に配置されることを特徴とするラッチ装置。
【請求項２】
前記両ラッチは同両ラッチが掛止体に対して掛止される進出位置において、後退方向へ移動しないように保持される第１の保持機構を有することを特徴とする請求項１に記載のラッチ装置。
【請求項３】
前記両ラッチは進出方向に移動しないように後退位置で保持される第２の保持機構を有することを特徴とする請求項１又は２に記載のラッチ装置。
【請求項４】
機能の異なる複数のパネル体を前後方向に重複配置して組み立てるようにした遊技機において、同複数のパネル体から選択された一のパネル体の背面には、
回動軸が設置されたベースと、
同回動軸を中心に回動可能とされるとともに、同回動軸回りの異なる位相位置にそれぞれ配置された２つの第１の係合部が形成された回動体と、
同回動軸を挟んで対向配置され、前記２つの第１の係合部とそれぞれ係合する第２の係合部が形成された長尺に形成された一対のラッチと、
同ラッチの前記ベース面からの浮き上がりを防止する浮き上がり防止手段と、
同両ラッチを長手方向に案内する案内手段とを備えたラッチ装置が装着され、
前記一のパネル体の背面に配設される周辺部材は、同ラッチ装置の両ラッチが前記回動体の回動に伴って前記両係合部を介して押動され長手方向沿って、かつ互いに逆方向に向かって進出することで前記一のパネル体と同両ラッチの側面との間に挟持されることを特徴とする遊技機。
【請求項５】
前記ラッチ装置の前記回動体には前記一のパネル体厚みからはみ出して後方に向かって延出されるレバーが形成され、同レバーは前記一のパネル体の隣接するパネル体に対する閉鎖に伴って同隣接するパネル体と当接して押動されることで同回動体を回動させ、もって前記周辺部材を同扉体と同両ラッチの側面との間に挟持させるようにしたことを特徴とする請求項４に記載の遊技機。
【請求項６】
前記ラッチ装置の前記両ラッチは同両ラッチが前記周辺部材に対して掛止される進出位置において、後退方向へ移動しないように保持される第１の保持機構を有していることを特徴とする請求項４又は５に記載の遊技機。
【請求項７】
前記ラッチ装置の前記両ラッチは進出方向に移動しないように後退位置で保持される第２の保持機構を有していることを特徴とする請求項４〜６のいずれかに記載の遊技機。
【発明の詳細な説明】
【技術分野】
【０００１】
本発明は、隣接する掛止体に対してこれと係合して掛止するラッチ装置及びラッチ装置を搭載した遊技機に関するものである。
【背景技術】
【０００２】
従来から隣接する掛止体と係合し、この掛止体を掛止するラッチ装置が提案されている。このようなラッチ装置の一例として特許文献１に扉の錠としてサムターンとともに使用されるラッチ錠を挙げる。この特許文献１のラッチ錠ではサムターン１９を回動することによってラッチヘッド６（ラッチ）を係合孔Ｈに突出させドアＤの施錠を行うというものである。このような従来のラッチ装置は基本的にサムターンのような回動体を回動させ一方向にラッチを進出させる構造を採用している。
ところで、従来から遊技機、例えばパチンコ遊技機ではパチンコ遊技機本体の前方に扉枠が開閉可能に装着され、この扉枠の背面にガラス板を配設する構造を備えている。このように扉枠にガラス板を配設することによってパチンコ遊技機本体前面に形成された遊技面が保護されることとなる。ガラス板は近年フレームに取り付けてユニット化し、このガラス板ユニットを扉枠の背面に装着するようになってきている。パチンコ遊技機の周辺部材としてのガラス板ユニットはガラスが破損したり経年の使用で傷がついたりするケースがあることを考慮して扉枠に対して着脱可能とされている。
このようなガラス板ユニットの一例として特許文献２を挙げる。特許文献２の図５及び図６に示すように、ガラスユニット１６０はガラスフレーム１６１の取り付け部１６２の透孔１６２ａに対して蝶ネジ等の締結具を使用することで扉枠１３の背面に取り付けるようになっていた。
【特許文献１】特開平１−１１６１８１号公報
【特許文献２】特開２００４−３２１７１５号公報
【発明の開示】
【発明が解決しようとする課題】
【０００３】
しかしながら、蝶ネジ等の締結具ではネジを緩めたり締めたりする必要があるため、遊技機の組立や点検における作業効率が劣ることとなる。そのために、ガラス板ユニットの着脱に上記のようなラッチ装置を利用することが考えられる。つまり、扉枠側にラッチ装置を配設し、ラッチを進出させてそのラッチの側面でガラス板フレームが扉枠から外れないように押さえるというものである。これならばサムターンの回動だけでラッチを簡単に作動させられるので作業効率は向上するはずである。また、ラッチはその側面の比較的広い面積で押さえることができることから、簡単な動作でしっかりと掛止体（ここではガラス板ユニット）押さえることが可能であるため固定手段としても優れている。
しかし、上記のような従来のラッチ装置ではラッチは一方だけにしか突出しないためラッチ装置を使用する場合にはいくつも取り付けなくてはしっかりと固定できないこととなってしまう。
本発明は、このような従来の技術に存在する問題点に着目してなされたものである。その目的とするところは、２方向にラッチが突出するようなラッチ装置及びそのようなラッチ装置を遊技機の周辺装置の取り付けに適用した遊技機を提供するものである。
【課題を解決するための手段】
【０００４】
上記の目的を達成するために請求項１の発明では、回動軸が設置されたベースと、同回動軸を中心に回動可能とされるとともに、同回動軸回りの異なる位相位置にそれぞれ配置された２つの第１の係合部が形成された回動体と、同回動軸を挟んで対向配置され、前記２つの第１の係合部とそれぞれ係合する第２の係合部が形成された長尺に形成された一対のラッチと、同ラッチの前記ベース面からの浮き上がりを防止する浮き上がり防止手段と、同両ラッチを長手方向に案内する案内手段とを備え、同両ラッチは同回動体の回動に伴って同両係合部を介して押引されその長手方向に沿って、かつ互いに逆方向に向かって進退させられ、同回動体の所定の回動位置において同両ラッチが掛止体に対して掛止される位置に配置されるようにしたことをその要旨とする。
【０００５】
上記のような構成では、ベース上の回動軸を中心に回動体は回動し、この回動体の回動に伴って回動軸回りの異なる位相位置にそれぞれ配置された２つの第１の係合部は回動軸回りに回動することとなる。一方、回動軸を挟んで対向配置された一対のラッチは第２の係合部を介して第１の係合部に押引され長手方向に沿って、かつ互いに逆方向に向かって進退する。このとき、第１の係合部自体は回転運動であるが、ラッチは案内手段によって長手方向に案内されるため略直線運動となる。また、ラッチが掛止体に対して掛止できるように浮き上がり防止手段によってラッチはベース面から浮き上がらないように押さえられている。回動体の所定の回動位置において両ラッチは掛止体に対して掛止される位置に配置されることとなる。両ラッチと掛止体との掛止関係はラッチ先端との掛止（掛止体側に形成された凹部に挿入するごとく）やラッチ側面との掛止の両方を含む。
このように一方だけでなく２方向にラッチが突出することとなるため、ラッチ装置の使用価値が向上することとなる。
尚、ここに「２つの第１の係合部」の２という数は第１の係合部が異なる位相位置の２カ所に形成されていることを示す意で使用され、単一の部材で構成された第１の係合部が２つあるという意味ではない。
【０００６】
この際に第１の係合部と第２の係合部とは固定されているわけではなく、遊動可能に緩やかな連結関係とされている。例えば、第１及び第２の係合部がに凹凸関係で連結される場合にはこれらは遊嵌状態にあるものである。このような緩やかな連結関係は第１の係合部の回動運動を伝達された第２の係合部が略直線運動をするために必要な構成となる。
また、回動軸を挟んだ対向位置に配置される一対の第１の係合部は完全に１８０度位相のずれた位置に形成される必要はない。例えば両第１の係合部の位相を調整することで両ラッチの進退量を変更することも可能である。また、両第１の係合部は回動軸から等距離にある必要はない。両ラッチの形状が異なる場合等を考慮すれば必ずしも回動軸から等距離にならないケースもありうるからである。
更に、「互いに逆方向に向かって進退させられ」とは両ラッチが互いに離間する方向あるいは接近する方向に移動することをいう。両ラッチは必ずしも平行に進退する必要はないものの、両ラッチが背中合わせとなって平行に進退するケースが最も一般的な構造と考えられる。
【０００７】
また、上記の目的を達成するために請求項２の発明では請求項１に記載の発明の構成に加え、前記両ラッチは同両ラッチが掛止体に対して掛止される進出位置において、後退方向へ移動しないように保持される第１の保持機構を有することをその要旨とする。
これによってラッチが不用意に進出させた位置から後退してしまい作業の支障を来すということがなくなる。第１の保持機構は例えば係合突起であって背中合わせに配置された両ラッチ同士の係合突起の係合によって実行される。また、例えばラッチの係合突起とベースや案内手段等の周辺部に形成された他の係合部との係合によって実行される。
【０００８】
また、上記の目的を達成するために請求項３の発明では請求項１又は２に記載の発明の構成に加え、前記両ラッチは進出方向に移動しないように後退位置で保持される第２の保持機構を有することをその要旨とする。
これによってラッチが不用意に後退位置から進出してしまい作業の支障を来すということがなくなる。第２の保持機構は例えば係合突起であって背中合わせに配置された両ラッチ同士の係合突起の係合によって実行される。また、例えばラッチの係合突起とベースや案内手段等の周辺部に形成された他の係合部との係合によって実行される。
【０００９】
また、上記の目的を達成するために請求項４の発明では、機能の異なる複数のパネル体を前後方向に重複配置して組み立てるようにした遊技機において、同複数のパネル体から選択された一のパネル体の背面には、回動軸が設置されたベースと、同回動軸を中心に回動可能とされるとともに、同回動軸回りの異なる位相位置にそれぞれ配置された２つの第１の係合部が形成された回動体と、同回動軸を挟んで対向配置され、前記２つの第１の係合部とそれぞれ係合する第２の係合部が形成された長尺に形成された一対のラッチと、同ラッチの前記ベース面からの浮き上がりを防止する浮き上がり防止手段と、同両ラッチを長手方向に案内する案内手段とを備えたラッチ装置が装着され、前記一のパネル体の背面に配設される周辺部材は、同ラッチ装置の両ラッチが前記回動体の回動に伴って前記両係合部を介して押動され長手方向沿って、かつ互いに逆方向に向かって進出することで前記一のパネル体と同両ラッチの側面との間に挟持されるようにしたことをその要旨とする。
【００１０】
上記のような構成では、一のパネル体の背面に装着されたラッチ装置は、ベース上の回動軸を中心に回動体は回動し、この回動体の回動に伴って回動軸回りの異なる位相位置にそれぞれ配置された２つの第１の係合部は回動軸回りに回動することとなる。一方、回動軸を挟んで対向配置された一対のラッチは第２の係合部を介して第１の係合部に押引され長手方向に沿って、かつ互いに逆方向に向かって進出する。このとき、第１の係合部自体は回転運動であるが、ラッチは案内手段によって長手方向に案内されるため略直線運動となる。また、周辺部材が一のパネル体とラッチの側面との間に挟持されるように浮き上がり防止手段によってラッチはベース面から浮き上がらないように押さえられている。
また、遊技機においてラッチの進退方向は遊技機の前後方向（遊技者側を前方とし遊技機裏面側を後方とした場合）ではなくこの前後方向と交差する一のパネル体の背面に沿った方向となる。つまり、両ラッチは一のパネル体の背面と略平行に延出され、ラッチ側面と一のパネル体とが協働して周辺部材は挟持されることとなる。
このように一方だけでなく２方向にラッチが突出することとなるため、一のパネル体に装着されたラッチ装置は同時に２カ所で周辺部材を押さえることができ、ラッチ装置の配置数を減らすことができるとともに、周辺部材をしっかりと保持することができる。
一のパネル体として例えばパチンコ遊技機における扉枠に適用することが好ましい。ラッチは扉体の背面と略平行に延出されることとなるため、特にスペース的な余裕のない扉体背面位置においてラッチの進出量の多寡が問題になることはなくラッチ装置の使用が可能となるからである。
【００１１】
この際に第１の係合部と第２の係合部とは固定されているわけではなく、遊動可能に緩やかな連結関係とされている。例えば、第１及び第２の係合部がに凹凸関係で連結される場合にはこれらは遊嵌状態にあるものである。このような緩やかな連結関係は第１の係合部の回動運動を伝達された第２の係合部が略直線運動をするために必要な構成となる。
また、回動軸を挟んだ対向位置に配置される一対の第１の係合部は完全に１８０度位相のずれた位置に形成される必要はない。例えば両第１の係合部の位相を調整することで両ラッチの進退量を変更することも可能である。また、両第１の係合部は回動軸から等距離にある必要はない。両ラッチの形状が異なる場合等を考慮すれば必ずしも回動軸から等距離にならないケースもありうるからである。
更に、「互いに逆方向に向かって進出する」とは両ラッチが互いに離間する方向に移動することをいう。両ラッチは必ずしも平行に進退する必要はないものの、両ラッチが背中合わせとなって平行に進退するケースが最も一般的な構造と考えられる。
ここに、周辺部材とは具体的にはガラス板やガラス板をフレームに装着したガラス板ユニット等が想定される。
【００１２】
また、上記の目的を達成するために請求項５の発明では請求項４に記載の発明の構成に加え、前記ラッチ装置の前記回動体には前記一のパネル体厚みからはみ出して後方に向かって延出されるレバーが形成され、同レバーは前記一のパネル体の隣接するパネル体に対する閉鎖に伴って同隣接するパネル体と当接して押動されることで同回動体を回動させ、もって前記周辺部材を同扉体と同両ラッチの側面との間に挟持させるようにしたことをその要旨とする。
このような構成では、仮止め状態の周辺部材についてラッチ装置によってしっかりと固定せずに一のパネル体を閉鎖してしまった場合であっても、その閉鎖に伴ってレバーが隣接するパネル体と当接して回動体を回動させることとなり、ラッチを進出させて周辺部材を扉体と両ラッチの側面との間に周辺部材を挟持させることができる。レバーが閉鎖に伴って押動されて回動体を回動させるためにはレバー先端と隣接するパネル体とが正対せずラッチを進出させ得る回転方向にずれている必要がある。
【００１３】
また、上記の目的を達成するために請求項６の発明では請求項４又は５に記載の発明の構成に加え、前記ラッチ装置の前記両ラッチは同両ラッチが前記周辺部材に対して掛止される進出位置において、後退方向へ移動しないように保持される第１の保持機構を有していることをその要旨とする。
これによってラッチが不用意に進出させた位置から後退してしまい作業の支障を来すということがなくなる。第１の保持機構は例えば係合突起であって背中合わせに配置された両ラッチ同士の係合突起の係合によって実行される。また、例えばラッチの係合突起とベースや案内手段等の周辺部に形成された他の係合部との係合によって実行される。
【００１４】
また、上記の目的を達成するために請求項７の発明では請求項４〜６のいずれかに記載の発明の構成に加え、前記ラッチ装置の前記両ラッチは進出方向に移動しないように後退位置で保持される第２の保持機構を有していることをその要旨とする。
これによってラッチが不用意に後退位置から進出してしまい作業の支障を来すということがなくなる。第２の保持機構は例えば係合突起であって背中合わせに配置された両ラッチ同士の係合突起の係合によって実行される。また、例えばラッチの係合突起とベースや案内手段等の周辺部に形成された他の係合部との係合によって実行される。
【発明の効果】
【００１５】
上記請求項１〜３に記載された発明では、２方向にラッチが突出することとなるため、ラッチ装置の使用価値が向上することとなる。また、上記請求項４〜７に記載された発明では、第一のパネル体に装着されたラッチ装置は同時に２カ所で周辺部材を押さえることができ、ラッチ装置の配置数を減らすことができるとともに、周辺部材をしっかりと保持することができる。また、ラッチは扉体の背面と略平行に延出されることとなるため、特にスペース的な余裕のない扉体背面位置においてラッチの進出量の多寡がスペースの上で問題になることは少なくラッチ装置の使用が可能性が向上する。
【発明を実施するための最良の形態】
【００１６】
以下、本発明の各実施の形態について図面に基づいて説明する。
図１〜図６に示すように、パチンコ遊技機１１は支持枠体としての外枠１２を備えている。外枠１２は、遊技ホールへの設置の際にいわゆる島設備に取り付けられる。外枠１２は上下左右の各枠板１２ａ〜１２ｄによって四角形に枠組みされた木製の枠体とされている。下部枠板１２ｄ上面には幕板１３が配設されている。
外枠１２内には本体枠１４が装着されている。遊技体の一部をなす本体枠１４はパチンコ遊技機の構造的な中核を形成するパネル状の構成部材であって、外枠１２内において幕板１３上に配置されている。図４及び図５に示すように、本体枠１４は正面視において略長方形の外郭を備えたＡＢＳ製のパネルとされている。本体枠１４は正面から見て左方寄りにおいて上下に配設された開閉金具１５の開閉軸線Ｐ（図４参照）を軸心として外枠１２に対して前方側に開放可能とされている。
【００１７】
図５及び図６に示すように、本体枠１４の下部領域には本体枠側機構部１６が形成されている。本体枠側機構部１６を正面から見て右方にはパチンコ球発射ユニット１７が配設されている。パチンコ球発射ユニット１７はソレノイド等から構成された発射部１８と、発射部１８にパチンコ球を順に送出する送球部１９及び補助レール２０から構成されている。本体枠側機構部１６の正面から見て左方には上部パチンコ球流入路２１と下部パチンコ球流入路２２がそれぞれ配設されている。両パチンコ球流入路２１，２２間にはバイパス通路２３が形成されている。下部パチンコ球流入路２２の上方にはファール球通路２４が形成されている。バイパス通路２３及びファール球通路２４はユニット化されている。本体枠側機構部１６の背面側にはすべての遊技球を回収して一旦機外に放出させるための遊技球回収通路２６が形成されている（図４参照）。
【００１８】
本体枠側機構部１６の上方には遊技盤取り付けスペース２５が形成され、遊技盤２７が同スペース２５内に配設されている。同スペース２５は遊技盤２７が載置される棚部２８（図４参照）と、略楕円形状に切り欠き形成された窓孔２９を有している。窓孔２９の周囲は棚部２８に載置された遊技盤２７の前面周縁が当接する前板部３０とされている。図４に示すように、木製の遊技盤２７の外郭は略正方形形状とされ、棚部２８に載置された状態で図示しない係止手段によって前板部３０に対して圧着固定される。図６に示すように、遊技盤２７は同スペース２５に配設された状態で前面に形成された遊技面２７ａが窓孔２９から前方に露出される。窓孔２９を包囲する壁面３１の一部は後述する遊技領域の一部を画定する。
【００１９】
遊技体の一部をなす遊技盤２７には遊技面２７ａから裏面に貫通する大小複数の開口部が形成され、各開口部にはそれぞれ目的に応じた各種装飾パネルが併設されている。遊技盤２７の略中央には可変表示ユニット３５が配設されている。可変表示ユニット３５は大型の液晶ディスプレイ３６を備えている。図４に示すように可変表示ユニット３５は遊技盤２７背面に配置される表示制御装置３７を備えている。可変表示ユニット３５の直下には始動口３８が配置されており、さらにその下方にいわゆる大入賞口と呼称される可変入賞装置３９が配置されている。可変表示ユニット３５の左右両側にスルーゲート４０が配置され、始動口３８の左右両側方向には一般入賞口４１がそれぞれ複数配置されている。遊技盤２７の最下部位置にはアウト口４２が設けられており、各種入賞口等に入らなかった遊技球はアウト口４２を通って図示しない球排出路の方へと案内されるようになっている。遊技盤２７の表面には、遊技球の落下方向を適宜分散、調整等するために多数の遊技釘が植設されている。また、風車４３等の各種部材（役物）が配設されている。
【００２０】
遊技盤２７の遊技面２７ａ上には、外レール５１とレール部材としての内レール５２が装着されている。遊技盤２７が本体枠１４の遊技盤取り付けスペース２５に配設された状態で両レール５１，５２及び前記本体枠１４側の窓孔２９を包囲する壁面３１の一部によって遊技面２７ａに遊技領域が画定されている。
図６に示すように、外レール５１は前記パチンコ球発射ユニット１７の補助レール２０の正面から見て左斜め上方であって、同補助レール２０の延長方向にファール球通路２４上方の空間を隔てた位置にその基端が配置されている。外レール５１は基端から時計回り方向に円弧状に上方に延出され遊技面２７ａの頂点から若干進んだ位置（遊技面２７ａを時計のダイヤルと見立てた場合の略２時方向位置）にその先端が配置されている。
【００２１】
内レール５２は遊技面２７ａを時計のダイヤルと見立てた場合の略４時方向に基端が配置されている。内レール５２は基端から時計回り方向に円弧状に下方に延出され、前記アウト口４２前面を略水平に横切った後、外レール５１の内周側を上方に向かって延出され、遊技面２７ａの頂点の手前位置（遊技面２７ａを時計のダイヤルと見立てた場合の略１０時方向位置）にその先端が配置されている。内レール５２の先端には遊技面２７ａに打ち出された遊技球（パチンコ球）の逆進を防止するための片持ちの舌片が形成された逆進防止部材５５が装着されている。円弧状の内レール５２の最下方位置はアウト口４２と交差する位置とされている。両レール５１，５２は正面から見てアウト口４２の左方位置から逆進防止部材５５位置（つまり内レール５２の先端）にかけて隣接して配置されパチンコ球発射通路４９が形成されている。
【００２２】
外レール５１及び内レール５２は帯状の同幅に形成されたステンレス製薄板条体から構成されている。図６に示すように、両レール５１，５２の一側には適度な間隔を開けて釘５３が突設されている。両レール５１，５２は遊技面２７ａ側縁部に対して釘５３を食い込ませて固定されている。両レール５１，５２は遊技面２７ａに対して前方に向かって略垂直に立設されている。本実施の形態では両レール５１，５２の幅は１６．５ｍｍとされている。
外レール５１の先端と内レール５２の基端との間には両レール５１，５２は配設されておらず、窓孔２９の内周壁５６によって遊技領域が画定されている。内側壁５６は両レール５１，５２の曲率に略応答した曲率で弧状の壁面として構成されている。
【００２３】
遊技球（パチンコ球）はパチンコ球発射ユニット１７によって打ち出されると補助レール２０を滑走した後、外レール５１に乗り移り外レール５１を更に滑走しながら外レール５１と内レール５２との間のパチンコ球発射通路４９を上方に向かって進み遊技面２７ａに飛び出す。この時、パチンコ球発射ユニット１７による打ち出し力が弱く補助レール２０から外レール５１に乗り移ることができなかったり、外レール５１に乗り移っても遊技領域まで至らなかったパチンコ球は落下してファール球通路２４に導かれる。
遊技領域に放出された遊技球は落下しながら遊技釘、装飾パネルあるいは各種役物等と干渉して弾かれながら降下し、途中始動口３８、可変入賞装置３９及び一般入賞口４１に入賞する球以外はすべて内レール５２上に落下し、同内レール５２を伝わって最下部位置のアウト口４２に導かれる。入賞した入賞球、アウト口４２に導かれたアウト球は遊技盤２７背面の遊技球回収通路２６に集合し、機外に一旦放出される。
【００２４】
本体枠１４の前面には扉体としての周辺部材としての扉枠６１が配設されている。図１、図２、図８及び図９に示すように、扉枠６１は本体枠１４の正面から見た外郭と略一致した長方形形状の外郭の正面形状を有している。扉枠６１は本体枠１４に対して開閉可能に取り付けられている。扉枠６１は本体枠１４と同様前記開閉金具１５の開閉軸線Ｐと同軸に取り付けられた開閉金具５４を軸心として前方側に開放可能とされている。そのため、本体枠１４は外枠１２に対して開閉可能とされるとともに、扉枠１７は外枠１２と本体枠１４のそれぞれに対して独立して開閉可能とされている。扉枠６１はＡＢＳ樹脂製のパネル体であって、内部に縦横に配設された図示しない合金製の補強リブによって補強されている。
【００２５】
図１、図８及び図９に示すように、扉枠６１には遊技者が遊技面２７ａを目視するための窓部としての目視用窓孔６２が形成されている。目視用窓孔６２は略楕円形状に形成され、扉枠６１が本体枠１４に対して閉鎖された状態で同本体枠１４側の窓孔２９と対峙する。図９に示すように、扉枠６１の背面側であって目視用窓孔６２の周囲には後述するガラスユニット７５の位置決め用の取り付け凹部５７が形成されている。取り付け凹部５７はガラスユニット７５の外郭形状に対応した形状で扉枠６１の背面のベース面６１ａの高さに対して段違いとなるように窪んで構成されている。これによって装着作業時に取り付け凹部５７にガラスユニット７５を嵌合させることで扉枠６１の背面でのガラスユニット７５の装着位置が瞬時に定まるため、作業効率が向上する。
取り付け凹部５７の周囲のベース面６１ａ上には所定の位置（本実施の形態では３箇所）にガラスユニット７５固定用のクランプレバー５８が配設されている。クランプレバー５８周辺の構造については後述する。扉枠６１の背面側であって目視用窓孔６２の上部には横長の収容部５９が形成されている。収容部５９内にはクランプユニット６０が吊り下げ支持されている。収容部５９及びクランプユニット６０周辺の構造については後述する。
【００２６】
扉枠６１の前面側であって、目視用窓孔６２の左右及び上方には前方に膨出した装飾用パネル６３が配設されている。装飾用パネル６３内にはスピーカ装置６５（図８及び図９参照）や図示しない装飾ランプが配設されている。目視用窓孔６２の下方位置には、前側へ膨出した第１の膨出部６６が設けられ、その第１の膨出部６６内側が上受け皿６７とされている。上受け皿６７は後述する払出装置より払い出された遊技球を一旦貯留し、一列に整列させながらパチンコ球発射ユニット１７に導くための球貯留部である。上受け皿６７内部の上流位置には裏面に連通する通路６８が形成されている（図８及び図９参照）。同通路６８は前記本体枠１４側の上部パチンコ球流入路２１と接続され後述する遊技球供給装置１２１から供給されるパチンコ球を上受け皿６７に導入させる。
【００２７】
第１の膨出部６６の下方位置には、前側へ膨出した第２の膨出部７０が設けられ、その第２の膨出部７０内側が下受け皿７１とされている。下受け皿７１はバイパス通路２３及びファール球通路２４から流下するパチンコ球を貯留したり、遊技者の能動的な操作に基づいて上受け皿６７から流下させたパチンコ球を貯留するための補助的な球貯留部である。
装飾用パネル６３、第１の膨出部６６及び第２の膨出部７０は全体としてデザイン的な統一が図られている。
正面から見て下受け皿７１の左方には灰皿７２が配設されている。下受け皿７１の右方にはパチンコ球発射ユニット１７と連動する遊技球打ち出し用ハンドル７３が前方に突出形成されている。
【００２８】
図８及び図９に示すように扉枠６１の背面には透明体ユニットとしてのガラスユニット７５が配設されている。ガラスユニット７５は扉枠６１に形成された前記取り付け凹部５７内に配置されている。
図１０〜図１９に基づいてガラスユニット７５について説明する。
ガラスユニット７５は、モールド成形によって一体的に製造されたＡＢＳ樹脂製のガラスフレーム７６を備えている。ガラスフレーム７６には前後二枚のガラス板７７，７８が所定間隔を開けて平行に装着されている。本実施の形態では、ガラスフレーム７６が保持枠体に相当し、ガラス板７７，７８が透明板に相当する。
ガラスフレーム７６は楕円環状の外形形状を有し、細枠部７９と細枠部７９の一部が外方に拡張された膨出部８０とから基本形状が構成されている。
細枠部７９は周方向に延出された平板部８１と平板部８１内周において径方向に突起した凸条８２を備えている。凸条８２はガラスフレーム７６の全周に渡って延出され、同凸条８２に包囲された内周は楕円形状をなしている。図１５に示すように、ガラスフレーム７６には平板部８１の凸条８２によって分割された内周面８１ａ，８１ｂと凸条８２の両側面８２ａ，８２ｂとによって前後にガラス板支持部８３ａ，８３ｂ構成されている。
図１５に示すように、平板部８１の前面８１Ａと後面８１Ｂとの間がガラスフレーム７６の厚みＬとされている。
【００２９】
膨出部８０はガラスフレーム７６の扉枠６１への装着状態で正面からみて細枠部７９の左斜め下方向の側部（背面からの目視となる図８では右斜め下方向の側部）から外方に向かって膨出状に形成されている。膨出部８０の厚み（幅）は細枠部７９の平板部８１と同幅に形成されている。つまり膨出部８０も平板部８１の前面８１Ａ及び後面８１Ｂとによって画定される厚みＬに構成されている。。
膨出部８０は頂点が丸く面取りされた略二等辺三角形の外形形状とされている。膨出部８０の表面側（図１１で示される面）には凹部８４が形成されている。図１１及び図１６に示すように、凹部８４内においてリブ８５で区画された収容領域Ｓには乾燥剤８６が収容されている。図１０に示すように、膨出部８０の表面側においては細枠部７９から膨出部８０方向に延設された平板部８１は膨出部８０の外郭に沿って凹部８４を包囲するように配置されている。また、膨出部８０の表面側においては凸条８２の側面８２ａは細枠部７９から膨出部８０方向に延設され平板部８１に沿って凹部８４を包囲するように配置されている。
一方、膨出部８０の脊面側（図１０で示される面）では平板部８１及び凸条８２の側面８２ｂは膨出部８０方向に延設されず楕円環状を構成する。
【００３０】
ガラスフレーム７６には扉枠６１への装着状態で正面からみて（図１１の状態）左側上部位置に上部ブラケット８８が形成されている。上部ブラケット８８先端には下方に向かって突起した回動軸８９が形成されている。膨出部８０の外方には下部ブラケット９０が形成されている。下部ブラケット９０先端には下方に向かって突起した回動軸９１が形成されている。両回動軸８９，９１の軸心は同一直線上に存在する。
ガラスフレーム７６の上部ブラケット８８と膨出部８０の間には側部耳板部９３が張り出し形成されている。膨出部８０の下方位置には下部耳板部９４が外方に向かって張り出し形成されている。
【００３１】
図１０に示すように、上部ブラケット８８、膨出部８０、側部耳板部９３及び下部耳板部９４はそれぞれ隣接する部分と一体的に連結されガラスフレーム７６裏面の側方位置にガラスフレーム７６の湾曲に沿った、つまり内レール５２の湾曲に略沿った平板状の封塞板部９２を形成する。封塞板部９２の裏面は平板部８１の後面８１Ｂと同一平面上にある。
細枠部７９の上部には左右一対のクランプブラケット９５ａ，９５ｂが突出形成されている。左方のクランプブラケット９５ａの厚みは右方のクランプブラケット９５ｂの厚みよりも薄肉に形成されている。ガラスフレーム７６の扉枠６１への装着状態で正面からみて右側の上下寄りには位置決め用の位置決め板９６が併設された２つの押さえ板９７が外方に向かって張り出し形成されている。細枠部７９の下部には押さえ板９８が外方に向かって張り出し形成されている。これらクランプブラケット９５ａ，９５ｂ及び押さえ板９７，９８も平板部８１の厚み内に収まっている。
【００３２】
図１０、図１２〜図１５に示すように、ガラスフレーム７６において平板部８１の後面８１Ｂから後方に向かって庇部９９が突設されている。庇部９９は図１２、図１７等に示すように、庇部９９の内周面（図１０において上方）は平板部８１の内周面８１ｂと面一とされ、膨出部８０から下部側の押さえ板９７の間にかけて配設されている。図１１及び図１２に示すように、庇部９９は左右両サイド寄りを除いて同幅（本実施の形態では５ｍｍ）に形成され、左右両サイド寄りでは面取りされて端方向ほど突出量が少なくなるように先細りとされたテーパ部９９ａが形成されている。図１２〜図１４に示すように、平板部８１の裏面側端面、上部ブラケット８８の裏面、膨出部８０の裏面、側部耳板部９３の裏面及び下部耳板部９４の裏面の各面はそれぞれ平板部８１の後面８１Ｂと同一平面上に存在する。つまり、ガラスフレーム７６は庇部９９以外に後面８１Ｂが属する平面Ｆ（図１２及び図１３参照）よりも後方側に突出することはない。
【００３３】
図１７に示すように、前記ガラス板７７，７８はそれぞれ装着されるガラスフレーム７６のガラス板支持部８３ａ，８３ｂの形状（平板部８１の内周面８１ａ，８１ｂ形状と考えてもよい）に対応した外形形状を備えている。前面側ガラス板７７は膨出部８０に対応して異形に構成され、後面側ガラス板７８は楕円形状に構成されている。本実施の形態では前面側ガラス板７７は強化ガラス製とされ厚みは３．２ｍｍとされている。また、後面側ガラス板７８は間にフィルムを介在させた二枚合わせの合わせガラス製とされ厚みは４．２ｍｍとされている。前面側ガラス板７７を強化ガラス製としたのは主として防犯上の観点からであり、後面側ガラス板７８を合わせガラス製としたのは主として遊技領域を落下するパチンコ球の同ガラス板７８に衝突する音や衝撃を緩和するためである。
【００３４】
ガラス板７７，７８はガラスフレーム７６に対して凸条８２を挟んでそれぞれガラス板支持部８３ａ，８３ｂに嵌合されている。両ガラス板７７，７８によって挟持された内部空間は密閉状態で、かつ上記乾燥剤８６によって乾燥状態に保持されている。
図１５に示すように、両ガラス板７７，７８は外周縁を平板部８１の内周面８１ａ，８１ｂに当接させた状態で接着剤としてのグルー剤（図示せず）によって凸条８２の両側面８２ａに対して貼着されている。図２１〜図２４に図示されるようにガラス板７７，７８の外表面位置はそれぞれ平板部８１の前後面８１Ａ，８１Ｂと面一ではなくわずかに前後面８１Ａ，８１Ｂより内方に後退した位置（約１ｍｍ程度の後退量）とされている。
【００３５】
図８及び図９に示すように、ガラスユニット７５の前記回動軸８９，９１は扉枠６１の背面に配設された上下の軸受け金具１００に軸支されている。ガラスユニット７５は回動軸８９，９１を軸心として扉枠６１に対して後方側に開放可能とされている。ガラスユニット７５は扉枠６１の背面に対して密着させられた状態で前記クランプブラケット９５ａ，９５ｂ及び押さえ板９７，９８において固定部材によって固定されている。図１８〜図２８に基づいて２点鎖線で包囲された領域Ｒ１及び領域Ｒ２における固定状態について説明する。
【００３６】
まず、領域Ｒ１について説明する。図８及び図２３に示すように、収容部５９内にはガラスフレーム７６（ガラスユニット７５）の上部が収容部５９に面して配置されている。収容部５９内にはラッチ装置としてのクランプユニット６０が吊り下げ支持され、ガラスフレーム７６はその上部に突出形成されたクランプブラケット９５ａ，９５ｂを介してクランプユニット６０によって支持されている。まず、クランプユニット６０及びその周辺について説明する。
図２０〜図２３に示すように、収容部５９の前壁面５９ａに対して所定間隔を開けてクランプユニット６０の一部を成すプラスチック製の一対の取り付けブラケット１０５がビス１０６によって固着されている。両取り付けブラケット１０５間にはクランプユニット６０の一部を成す合金製の略長方形形状のユニットベース１０７がビス１０６によって懸架されている。ユニットベース１０７は自身前壁面５９ａ寄りにおいて縁部より立設された取り付け片１０８を介してビス１０６によって前壁面５９ａに固着されている。これら取り付けブラケット１０５及びユニットベース１０７に以下に説明する他のクランプユニット６０の構成要素が搭載される。
取り付けブラケット１０５にはユニットベース１０７の長手方向に貫通する浮き上がり防止手段及び案内手段としての透孔１１０が形成されている。ユニットベース１０７の中央位置にはネジ孔１０９が形成されている。ネジ孔１０９を挟んで対称となる位置にはそれぞれユニットベース１０７の長手方向に沿って平行に延出される長孔１１１が透設されている。
【００３７】
ユニットベース１０７に形成されたネジ孔１０９には回動軸としてのレバー軸１１２が螺着され、立設された同レバー軸１１２に対してプラスチック製の操作レバー１１３が回動可能に軸支されている。操作レバー１１３は円盤形状の本体１１４と本体１１４から側方に延出されたレバー部１１５から構成されている。図２５に示すように、操作レバー１１３の裏面側であって、レバー軸１１２の取り付け孔１１６回りの１８０度位相のずれた位置、つまり取り付け孔１１６を挟んだ対向位置には円柱形状の一対の突起１１７が下方に向かって突設されている。本実施の形態では両突起１１７は取り付け孔１１６から等距離に配置される。
ユニットベース１０７上であって、操作レバー１１３の下面位置には一対のラッチ１１８Ａ，１１８Ｂが配設されている。両ラッチ１１８Ａ，１１８Ｂは同一形状のプラスチック製の棒状の外観に構成され、レバー軸１１２を挟んだ前後位置にそれぞれ左右方向にその先端が向くように逆向きに対向配置されている（つまり互いに背中合わせとなるように配置されている）。両ラッチ１１８Ａ，１１８Ｂは図２２（ｂ）に示すように、左右に最も進出した状態においても前後方向で重複する位置関係にある。
両ラッチ１１８Ａ，１１８Ｂは太幅の胴部１１９と、胴部１１９前方の細幅のヘッド部１２０とを備えている。両ラッチ１１８Ａ，１１８Ｂのヘッド部１２０は前記取り付けブラケット１０５に形成された透孔１１０にそれぞれ挿通されている。ヘッド部１２０の基部側方は取り付けブラケット１０５内側面と当接してヘッド部１２０のそれ以上の進出を規制する当接面１２１が形成されている。胴部１１９からヘッド部１２０にかけての長手方向上面には主として軽量化を図るための凹部１２２が形成されている。
【００３８】
図２６（ａ）及び（ｂ）や図２８（ａ）等に示すように、胴部１１９の基部寄りには馬蹄型に凹設された小凹部１２５が形成されている。前記操作レバー１１３裏面の突起１１７は下垂されて小凹部１２５内に進出状態とされている。突起１１７は小凹部１２５周壁と密着はしておらず遊嵌状態にある。突起１１７及び小凹部１２５は第１及び第２の係合部に相当する。
胴部１１９の基部から後方（ここではヘッド部１２０と逆方向）には揺動片１２６が延出されており、同揺動片１２６の先端寄りには第１のストッパ１２７が互いに他方のラッチ１１８Ａ，１１８Ｂ側に向かって突設するように形成されている。互いに他方のラッチ１１８Ａ，１１８Ｂ側に面した胴部１１９の側縁１１９ａには所定間隔を空けて第２及び第３のストッパ１２８，１２９が互いに他方のラッチ１１８Ａ，１１８Ｂ側に向かって突設するように形成されている。これらストッパ１２７から２９は第１及び第２の保持機構に相当する。胴部１１９の裏面には案内突起１３０が形成され、前記長孔１１１内に配置されている。案内突起１３０及び長孔１１１は案内手段とされる。
【００３９】
このように構成されたクランプユニット６０は操作レバー１１３を回動させた際にはその回動に伴って突起１１７もレバー軸１１２回りに回動されラッチ１１８Ａ，１１８Ｂの小凹部１２５の内壁面と当接しこれを押引する。この押引に基づく力がラッチ１１８Ａ，１１８Ｂに伝達される。ここに、突起１１７自体の回動軌跡は図２６（ａ）及び（ｂ）に示すように円運動であるが、図２２（ａ）及び（ｂ）に示すように長孔１１１と案内突起１３０に案内されてユニットベース１０７の長手方向のベクトル成分だけが駆動力とされるため、ラッチ１１８Ａ，１１８Ｂは左右方向にのみ進退する。また、図２４（ａ）〜（ｃ）に示すように、ラッチ１１８Ａ，１１８Ｂはレバー軸１１２を挟んで前後に配置されることから、同図において左方のラッチ１１８Ａよりも右方のラッチ１１８Ｂの方が収容部５９の前壁面５９ａに近い位置に配置される。
ラッチ１１８Ａ，１１８Ｂはの先端側（つまりヘッド部１２０）は取り付けブラケット１０５に形成された透孔１１０にそれぞれ挿通されて上下のみならず前後方向の浮き上がりも防止されている。このように前後方向の浮き上がりが防止されることからラッチ１１８Ａ，１１８Ｂはガラスユニット７５（ガラスフレーム７６）を扉枠６１との間に挟持することが可能となる。
【００４０】
次に、このように構成されたクランプユニット６０によるガラスユニット７５（ガラスフレーム７６）の扉枠６１への固定作業、具体的にはクランプユニット６０のラッチ１１８Ａ，１１８Ｂによるガラスフレーム７６上部のクランプブラケット９５ａ，９５ｂの掛止動作について説明する。
まず、ガラスユニット７５（ガラスフレーム７６）の扉枠６１への装着の前提としてクランプユニット６０は図２２、図２４（ａ）及び図２６（ａ）に示す操作レバー１１３及びラッチ１１８Ａ，１１８Ｂの状態とされている。つまり、ラッチ１１８Ａ，１１８Ｂは最も後退して互いの重複量が最も大きくなっており、そのヘッド部１２０は取り付けブラケット１０５の透孔１１０から外方に突出することはない（本実施の形態では先端がわずかに露出している）。また、操作レバー１１３は扉枠６１の背面方向にレバー部１１５が延出された位相状態である（この操作レバー１１３の位置を原位置とする）。
また、このようにラッチ１１８Ａ，１１８Ｂが最も後退した状態においては図２７（ａ）に示すように、それぞれのラッチ１１８Ａ，１１８Ｂの第１のストッパ１２７が他方のラッチ１１８Ａ，１１８Ｂの第２のストッパ１２８と係合してラッチ１１８Ａ，１１８Ｂの進出方向へのスライド移動が阻止されている。
尚、このような掛止準備状態においては図２４（ｂ）に示すように、操作レバー１１３のレバー部１１５の外向き縁部１１５ａはレバー軸１１２を通り扉枠６１のベース面６１ａに直交する直線ｐに対して角度θの傾斜を有している。
【００４１】
さて、クランプユニット６０が上記のような状態にあるとして、ガラスフレーム７６を扉枠６１の背面の取り付け凹部５７に嵌合させていく。すると図２４（ａ）に示すように、ガラスフレーム７６上部のクランプブラケット９５ａ，９５ｂが収容部５９内のクランプユニット６０の左右のスペースＳに配置されることとなる（図２４（ｂ）の状態）。
この状態で作業者はレバー部１１５を操作して操作レバー１１３を回動してラッチ１１８Ａ，１１８Ｂを左右方向、つまり取り付けブラケット１０５の透孔１１０からスペースＳ方向に進出させる。すると図２３及び図２４（ｃ）に示すようにラッチ１１８Ａ，１１８Ｂの側面は収容部５９の前壁面５９ａとの間にクランプブラケット９５ａ，９５ｂを挟持する。これによって、クランプブラケット９５ａ，９５ｂは両ラッチ１１８Ａ，１１８Ｂによって支えられ扉枠６１側に固定（ラッチ１１８Ａ，１１８Ｂと扉枠６１によって挟持）されることとなる。
【００４２】
ここに、操作レバー１１３とラッチ１１８Ａ，１１８Ｂの進出量との関係について更に詳しく説明する。原位置にある操作レバー１１３を回動していくとラッチ１１８Ａ，１１８Ｂは図２７（ａ）の第１のストッパ１２７と第２のストッパ１２８とが係合した状態から、両ラッチ１１８Ａ，１１８Ｂは相対的に逆方向に移動し始める。そして図２７（ｂ）のように揺動片１２６が撓んで第１のストッパ１２７は第２のストッパ１２８を乗り越えるためラッチ１１８Ａ，１１８Ｂの進出方向へのスライド移動が自由になる。更に、操作レバー１１３を回動していくと第１のストッパ１２７は第３のストッパ１２９に干渉し（図２７（ｃ）の状態）、操作レバー１１３がユニットベース１０７の前後幅内に収まると同時に揺動片１２６は再度撓んで第３のストッパ１２９を乗り越え係合状態となる（図２７（ｄ）の状態）。この第１のストッパ１２７と第３のストッパ１２９とが係合した状態でラッチ１１８Ａ，１１８Ｂのヘッド部１２０は左右方向に最も突出することとなり、その位置で後退しないように保持されることとなる。
【００４３】
次に領域Ｒ２について説明する。尚、本実施の形態ではクランプレバー５８は３箇所に配設されているが、説明の重複を避けるため詳しい説明は領域Ｒ２で代表させることとする。
ガラスユニット７５は前記取り付け凹部５７内に配置されている。図１９に示すように、位置決め板９６に形成された位置決め孔１３３内には扉枠６１裏面に形成された位置決めピン１３４が配置されている。クランプレバー５８は回動軸１３５と押圧アーム１３６を備えている。クランプレバー５８の押圧アーム１３６は図８に示す使用時において図１８（ｂ）及び図１９の実線で示す位置で押さえ板９７を固定している。
一方、扉枠６１裏面上のクランプレバー５８に隣接する位置にはストッパ１３７及び押圧丘１３８が形成されている。押圧丘１３８はなだらかに湾曲した丘状の突起体であって、押圧アーム１３６の裏面と干渉してクランプレバー５８の遊動を防止する。従って、クランプレバー５８は非使用時には押圧アーム１３６がストッパ１３７に当接するとともに押圧丘１３８に保持されて図１８（ａ）及び図１９の仮想線で示す位置で保持される。
【００４４】
図２、図３及び図４に示すように、本体枠１４（遊技盤２７）の背面には各種制御装置が重複状に配置されている。制御装置は大きく３つにユニット化されており、タンク２２０や遊技球を供給するための遊技球供給装置２２１、保護カバー２２３等を備えた第１ユニット２２４、主制御装置や音声ランプ制御装置を備えた第２ユニット２２５、払出制御装置、発射制御装置及び電源装置を備えた第３ユニット２２６から構成されている。
【００４５】
図６及び図７に示すように、本体枠１４に対して扉枠６１を閉鎖した状態においては、ガラスフレーム７６の凸条８２によって包囲された内側領域は略遊技領域と略一致する。このとき、本実施の形態ではガラスフレーム７６（平板部８１）の後面８１Ｂと遊技面２７ａとの間隔は１９．５ｍｍに設定され、同じく後面８１Ｂと内レール５２前端との間隔は３ｍｍに設定されている。このようなガラスフレーム７６と遊技面２７ａとの間隔はパチンコ球の大きさや遊技面２７ａに配置された各種部材（液晶ディスプレイ３６や風車４３等）の突出量や遊技釘の突出量を考慮して設定されたものである。これによって遊技面２７ａに前面は遊技面２７ａに接触することなく、扉枠６１背面に配設されたガラスユニット７５が配置されることとなり、なおかつ遊技領域を落下してくる遊技球（パチンコ球）が内レール５２とガラスユニット７５との隙間から本体枠１４と扉枠６１の間にこぼれ落ちてしまうこともない。
【００４６】
また、本体枠１４に対して扉枠６１を閉鎖した状態においては、図７に示すように、封塞板部９２は外レール５１と内レール５２の間に形成されるパチンコ球発射通路４９を概ね封塞するようにその前面に配置される。つまり、パチンコ球発射通路４９は前方側が封塞板部９２によって封塞され、後面側ガラス板７８が面することがないので、パチンコ球発射通路４９を通過するパチンコ球が後面側ガラス板７８に当接してガラス面に傷がついたり割れたりするといった不具合が生じることはない。
【００４７】
更に、ガラスフレーム７６に庇部９９が形成されていなければ、ガラスフレーム７６と内レール５２前端との間には隙間が形成されることとなり、不正を試みる者は図７に示すように通路６８の壁面裏面に連通する透孔を形成して、ワイヤのような細長い道具を差し入れてこの隙間からワイヤを遊技面２７ａに導くことが可能である。
しかし、本実施の形態では本体枠１４に扉枠６１を閉鎖させた状態では内レール５２に対して庇部９９は同内レール５２の下部位置に重複状に配置されることとなるため、ワイヤを差し入れようとしてもこれらの重複関係によって隙間が遮蔽されるため、ワイヤを遊技面２７ａに導くことが困難になる。また、例え導くことが可能であっても操作に非常に時間がかかる傾向となるため抑止効果が大きい。結果として、遊技釘の間隔を拡げるような不正行為が行いにくくなる。
【００４８】
以上のように構成することによって上記実施の形態では次のような効果を奏する。
（１）ガラスユニット７５を扉枠６１の背面に装着する際に、このようなクランプユニット６０を使用すれば一回の操作でガラスユニット７５側の二カ所（ここではクランプブラケット９５ａ，９５ｂ）を同時に掛止することができ、ガラスユニット７５着脱の際の作業効率がアップする。
（２）クランプユニット６０のラッチ１１８Ａ，１１８Ｂはその側面でクランプブラケット９５ａ，９５ｂを押さえることとなるため、進出量を変更することで自在に押さえる面積を調整することができ、広い面積で支えることも可能となる。
（３）クランプユニット６０のラッチ１１８Ａ，１１８Ｂは扉枠６１のベース面６１ａに沿って進退するため、スペース的な余裕のない扉枠６１と本体枠１４（遊技盤２７）との間に配設しても邪魔になることはない。
【００４９】
（４）図２４（ｂ）に示すように、操作レバー１１３のレバー部１１５の外向き縁部１１５ａはレバー軸１１２を通り扉枠６１のベース面６１ａに直交する直線ｐに対して角度θの傾斜を有している。つまり、レバー部１１５は操作レバー１１３自身の回転方向に若干ずれた位相位置に配置されることとなる。そのため、万一クランプユニット６０での固定をし忘れてしまったとしてもレバー部１１５先端が本体枠１４側の前板部３０に当接すると回転トルクが発生し、操作レバー１１３は回動することとなる。するとラッチ１１８Ａ，１１８Ｂが進出して自動的にクランプユニット６０が固定されることとなる。
これによって作業者が積極的に操作レバー１１３を操作しなくとも、あるいは操作を忘れてしまった場合でも確実にクランプユニット６０が駆動されることとなる。
（５）ラッチ１１８Ａ，１１８Ｂの進退においてクランプブラケット９５ａ，９５ｂを固定する進出位置と最も後退した位置の両位置でラッチ１１８Ａ，１１８Ｂが移動しないような保持機構（第１〜第３のストッパ１２７〜１２９）を設けているため、進出位置で不用意にラッチ１１８Ａ，１１８Ｂが後退せず、確実にクランプブラケット９５ａ，９５ｂを固定でき、後退位置ではガラスユニット７５をセットする前にラッチ１１８Ａ，１１８ＢがスペースＳに進出してしまい作業の支障を来すこともない。
また、第１〜第３のストッパ１２７〜１２９は背中合わせのラッチ１１８Ａ，１１８Ｂ間に形成されて実行されているため、構造が複雑にならずコスト削減につながる。
（６）ガラスユニット７５を扉枠６１の背面に装着する際にその外形形状に対応した形状の取り付け凹部５７に嵌合させることで、自動的にクランプブラケット９５ａ，９５ｂが固定位置に配置されることとなるため、位置合わせが不要となって作業効率がアップする。
【００５０】
本発明は以下のような態様に変更して実施することが可能である。
・上記実施の形態では保持機構として第１〜第３のストッパ１２７〜１２９を使用し、これらはすべてラッチ１１８Ａ，１１８Ｂ間に形成されていた。しかし、図２９〜図３１に示すように、ラッチ１１８Ａ，１１８Ｂではなく取り付けブラケット１０５にフック１４１を設けラッチ１１８Ａ，１１８Ｂ上に立設される係合ピン１４２と係合させるようにしてもよい。
この変更例では図３１（ａ）〜（ｄ）に示すようにラッチ１１８Ａ，１１８Ｂの後退位置における保持機構については上記実施の形態と同様である。しかし、図３１（ｃ）及び（ｄ）に示すようにラッチ１１８Ａ，１１８Ｂを進出させた状態においてはフック１４１が係合ピン１４２と干渉し、外方に撓んで係合関係となるものである。このような保持手段とすれば上記と異なりラッチ１１８Ａ，１１８Ｂのがたつきが少なくなるため、より精密なクランプが要求される場合に好適である。
【００５１】
・上記実施の形態ではガラスユニット７５を扉枠６１の背面に装着する際に取り付け凹部５７に嵌合させるようにしたが、これの替わりにあるいは同時に図３２（ａ）及び（ｂ）に示すような配置補助手段を設けるようにしてもよい。
この変形例では収容部５９の左右のスペースＳ位置の前壁面５９ａ部分に円筒形状の係合突起１４５を突出させる。一方、ガラスユニット７５上部のクランプブラケット９５ａ，９５ｂに側方に張り出した張り出し片１４６を一体形成し、この係合突起１４５に係合突起１４５が挿通される透孔１４７を設けるようにしたものである。
このようにすればガラスユニット７５を収容部５９内に正確に仮配置することができ、クランプユニット６０によるガラスユニット７５の固定作業が迅速化する。
【００５２】
取り付けブラケット１０５の透孔１１０は浮き上がり防止手段と案内手段とを兼ねているため、上記実施の形態において案内突起１３０及び長孔１１１を省略することも可能である。また、浮き上がりの防止の機能のみを単独で持たせるようにして、案内手段を別途設けるようにしてもよい。
・上記実施の形態ではクランプユニット６０をガラスユニット７５の上部を固定するために１つのみ使用したが複数配設することも自由である。また、扉枠６１の他の位置に設けることも自由である。
・クランプユニット６０はガラスユニット７５を扉枠６１の背面に固定するために使用したが、他の周辺部材を固定するために使用しても構わない。
・上記クランプユニット６０の形状は一例であって、他の構成で実現することも可能である。
・上記実施の形態のパチンコ遊技機１１以外の機種に応用することも自由である。またパチンコ遊技機以外のパチロットに応用することも可能である。
・この種のラッチ装置が応用できるのであれば、使用対象は遊技機に限定されるものではない。
その他、本発明の趣旨を逸脱しない態様で実施することは自由である。
【００５３】
上記請求項に適宜追加可能な上記実施の形態から把握できる本発明のその他の技術的思想について下記に付記として説明する。
（１）  前記複数のパネル体は遊技体と、同遊技体前面に形成された遊技面と、同遊技面を前方から覆う扉体であり、前記一のパネル体は扉体であること。
この構成は上記請求項４をより具体化した付記である。
このような構成にすると、扉体の背面に装着されたラッチ装置は、ベース上の回動軸を中心に回動体は回動し、この回動体の回動に伴って回動軸回りの異なる位相位置にそれぞれ配置された２つの第１の係合部は回動軸回りに回動することとなる。一方、回動軸を挟んで対向配置された一対のラッチは第２の係合部を介して第１の係合部に押引され長手方向に沿って、かつ互いに逆方向に向かって進出する。このとき、第１の係合部自体は回転運動であるが、ラッチは案内手段によって長手方向に案内されるため略直線運動となる。また、遊技機においてラッチの進退方向は遊技機の前後方向（遊技者側を前方とし遊技機裏面側を後方とした場合）ではなくこの前後方向と交差する扉体の背面に沿った方向となる。つまり、両ラッチは扉体の背面と略平行に延出され、ラッチ側面と扉体とが協働して周辺部材は挟持されることとなる。
このように一方だけでなく２方向にラッチが突出することとなるため、扉体に装着されたラッチ装置は同時に２カ所で周辺部材を押さえることができ、ラッチ装置の配置数を減らすことができるとともに、周辺部材をしっかりと保持することができる。
（２）  前記ラッチ装置の前記回動体には後方に向かって延出されるレバーが形成され、同レバーは前記扉体後方に配置された遊技体に対する閉鎖に伴って同遊技体側と当接して押動されることで同回動体を回動させ、もって前記周辺部材を同扉体と同両ラッチの側面との間に挟持させるようにしたこと。
これは請求項５に対応する付記であって、付記１の下位概念となる。
（３）  前記ラッチ装置の前記両ラッチは同両ラッチが前記周辺部材に対して掛止される進出位置において、後退不能に保持される第１の保持機構を有していること。
これは請求項６に対応する付記であって、付記１及び２の下位概念となる。
【００５４】
（４）遊技体と、同遊技体前面に形成された遊技面と、同遊技面を前方から覆う扉体とを備えた遊技機において、前記扉体の背面には、
回動軸が設置されたベースと、
同回動軸を中心に回動可能とされるとともに、同回動軸を挟んだ対向位置に一対の第１の係合部が形成された回動体と、
同回動軸を挟んで対向配置され、前記第１の係合部とそれぞれ係合する第２の係合部が形成された長尺に形成されたラッチと、
同ラッチの前記ベース面からの浮き上がりを防止する浮き上がり防止手段と、
同ラッチを長手方向に案内する案内手段とを備えたラッチ装置が装着され、
前記扉体の背面に装着される周辺部材は、同ラッチ装置の両ラッチが前記回動体の回動に伴って係合部を介して押動され長手方向沿って進出することで前記扉体と同両ラッチのヘッド部との間に挟持されることを特徴とする遊技機。
これはラッチが一対ではないケースを念頭においた付記である。
（５）前記ラッチ装置の前記回動体には扉枠の厚みからはみ出して後方に向かって延出されるレバーが形成され、同レバーは前記扉体の前記遊技体に対する閉鎖に伴って同遊技体側と当接して押動されることで同回動体を回動させ、前記周辺部材を同扉体と同両ラッチのヘッド部との間に挟持させること。
これは付記４の下位概念となる。
【００５５】
（６）前記扉枠の背面に配置される一のパネル体（周辺部材）は同一のパネル体の背面に形成された配置補助手段によって所定位置に案内され、その後ラッチ装置によって固定されること。
これによってラッチ装置を駆動させる際に迅速に一のパネル体（周辺部材）を配置させることができ、作業効率が向上する。ここでの配置補助手段とは上記実施の形態では取り付け凹部５７や係合突起１４５と張り出し片１４６が相当する。
（７）前記浮き上がり防止手段は案内手段を兼ねていること。
このように構成することで部材点数を減らすことが可能となる。例えば上記実施の形態では取り付けブラケット１０５の透孔１１０がこれに相当する。また、他の案内手段がある場合には複数の案内手段によって確実にラッチを案内させることが可能となる
（８）第１の保持機構は背中合わせに隣接して配置された両ラッチの縁部に一体的に形成され、互いの係合部の係合によって実行されること。これによって部材点数を削減でき、スペース的な余裕があまりなくとも第１の保持機構を形成することが可能となる。
（９）第２の保持機構は背中合わせに隣接して配置された両ラッチの縁部に一体的に形成され、互いの係合部の係合によって実行されること。これによって部材点数を削減でき、スペース的な余裕があまりなくとも第２の保持機構を形成することが可能となる。
（１０）前記扉枠の背面に配置される周辺部材はガラス板が装着されたフレーム体であること。
この付記は周辺部材を具体化したものである。
【図面の簡単な説明】
【００５６】
【図１】本発明を応用した実施の形態のパチンコ遊技機の正面図。
【図２】同じパチンコ遊技機の側面図。
【図３】同じパチンコ遊技機の扉枠を開放した状態の平面図。
【図４】同じパチンコ遊技機の分解斜視図。
【図５】同じパチンコ遊技機において扉枠と遊技盤を除いた状態の正面図。
【図６】同じパチンコ遊技機において扉枠を除いた状態の正面図。
【図７】図６において扉枠側のガラスフレームとの重複関係を説明する説明図。
【図８】同じパチンコ遊技機の扉枠の背面図。
【図９】図８の背面図からガラスユニットを取り外した状態の背面図。
【図１０】ガラスフレームの背面図。
【図１１】ガラスユニットの正面図。
【図１２】図１０のＡ−Ａ線における断面図。
【図１３】図１０のＢ−Ｂ線における一部省略断面。
【図１４】ガラスフレームの背面からの斜視図。
【図１５】図１２のＲ３に包囲された部分の拡大図。
【図１６】図１１のＣ−Ｃ線における断面図。
【図１７】（ａ）は前面側、（ｂ）は後面側のガラス板の正面図。
【図１８】ガラスフレームをクランプレバーによって固定する状態を説明する部分拡大側面図であって（ａ）は固定前、（ｂ）は固定状態。。
【図１９】ガラスフレームをクランプレバーによって固定する状態を説明する部分拡大背面図。
【図２０】クランプユニットの分解斜視図。
【図２１】クランプユニットの分解正面図。
【図２２】クランプユニットの底面図。
【図２３】収容部に配置されたクランプユニットのラッチによってガラスフレームを固定した状態を説明する説明図。
【図２４】収容部に配置されたクランプユニットのラッチによってガラスフレームを固定させる工程を説明する図であって（ａ）はガラスフレームの配設前の状態、（ｂ）は仮配設した固定前の状態、（ｃ）は固定後の状態。
【図２５】操作レバーの裏面図。
【図２６】（ａ）及び（ｂ）は操作レバーの突起とラッチの小凹部との係合関係を説明する説明図。
【図２７】（ａ）〜（ｄ）はラッチの第１ストッパと第２又は第３のストッパとの係合関係を説明する説明図。
【図２８】（ａ）はラッチの平面図、（ｂ）は同じラッチの裏面図。
【図２９】他の実施の形態のクランプユニットの分解斜視図。
【図３０】同じ他の実施の形態において収容部に配置されたクランプユニットのラッチによってガラスフレームを固定した状態を説明する説明図。
【図３１】（ａ）〜（ｄ）は同じ他の実施の形態においてラッチのフックと係合ピンとの係合関係を説明する説明図。
【図３２】他の実施の形態において収容部に配置されたクランプユニットのラッチによってガラスフレームを固定させる工程を説明する図であって（ａ）はガラスフレームの配設前の状態、（ｂ）は固定後の状態。
【符号の説明】
【００５７】
１１…パチンコ遊技機、１４…遊技体としての本体枠、２７…遊技体の一部をなす遊技盤、２７ａ…遊技面、６０…ラッチ装置としてのクランプユニット、６１…扉体としての扉枠、７５…周辺部材としてのガラスユニット、７６…周辺部材としてのガラスフレーム、１０７…ユニットベース、１１０…浮き上がり防止手段、案内手段としての取り付けブラケットの透孔、１１１…案内手段としての長孔、１１２…回動軸としてのレバー軸、１１３…回動体としての操作レバー、１１８Ａ，１１８Ｂ…ラッチ、１１７…第１の係合部としての突起、１２５…第２の係合部としての小凹部、１３０…案内手段としての案内突起。
【図１】
2007117516.tif 000003
【図２】
2007117516.tif 000004
【図３】
2007117516.tif 000005
【図４】
2007117516.tif 000006
【図５】
2007117516.tif 000007
【図６】
2007117516.tif 000008
【図７】
2007117516.tif 000009
【図８】
2007117516.tif 000010
【図９】
2007117516.tif 000011
【図１０】
2007117516.tif 000012
【図１１】
2007117516.tif 000013
【図１２】
2007117516.tif 000014
【図１３】
2007117516.tif 000015
【図１４】
2007117516.tif 000016
【図１５】
2007117516.tif 000017
【図１６】
2007117516.tif 000018
【図１７】
2007117516.tif 000019
【図１８】
2007117516.tif 000020
【図１９】
2007117516.tif 000021
【図２０】
2007117516.tif 000022
【図２１】
2007117516.tif 000023
【図２２】
2007117516.tif 000024
【図２３】
2007117516.tif 000025
【図２４】
2007117516.tif 000026
【図２５】
2007117516.tif 000027
【図２６】
2007117516.tif 000028
【図２７】
2007117516.tif 000029
【図２８】
2007117516.tif 000030
【図２９】
2007117516.tif 000031
【図３０】
2007117516.tif 000032
【図３１】
2007117516.tif 000033
【図３２】
2007117516.tif 000034